(57)【要約】【課題】斜行調整を容易に行える画像形成装置を提供すること。安価に画像形成装置を提供すること。【解決手段】本発明の画像形成装置は、原稿を読取位置に搬送する原稿搬送装置と、読取位置において搬送中の原稿を読み取る画像読取装置とが画像形成装置の本体フレームに対して取り付けられてなり、画像形成装置にヒンジ挿入口が取り付けられ、本体フレームのいずれかに一対の画像読取装置の位置決め孔が設けられ、該位置決め孔のうちの一方の位置決め孔の位置調整が可能なように、突起状に形成された長孔突起が長孔凹部に嵌合するように案内される位置決め装置が備えられ、原稿搬送装置内の原稿の斜行調整を画像読取装置本体フレームに固定された位置決め手段を長孔に嵌合させて移動させることによって行うことを特徴としている。【選択図】図４
2020005013.tif 000002
【特許請求の範囲】
【請求項１】
原稿を読取位置に搬送する原稿搬送装置と、読取位置において搬送中の原稿を読み取る画像読取装置とが画像形成装置本体フレームに対して取り付けられてなり、
画像形成装置にヒンジ挿入口が取り付けられ、
本体フレームのいずれかに一対の画像読取装置の位置決め孔が設けられ、
該位置決め孔のうちの一方の位置決め孔の位置調整が可能なように、突起状に形成された長孔突起が長孔凹部に嵌合するように案内される位置決め装置が備えられ、
原稿搬送装置内の原稿の斜行調整を画像読取装置の本体フレームに固定された位置決め手段を長孔に嵌合させて移動させることによって行うことを特徴とする画像形成装置。
【請求項２】
上記画像読取装置と、画像形成装置本体フレームとの間に画像読取装置を走査方向に移動させて、移動機能に対して、画像形成装置の本体フレームを作動させる手段を設けることを特徴とする請求項１に記載の画像形成装置。
【請求項３】
上記ヒンジ挿入口には、一定の遊びを形成してヒンジ脚部が挿入されていることを特徴とする請求項１または２に記載の画像形成装置。
【請求項４】
上記長孔凹部をネジと連動させて移動可能に形成し、該ネジのネジ頭を本体フレームから突出させて、該ネジ頭を外部から回転させることにより、長孔凹部を移動させるように構成することを特徴とする請求項１に記載の画像形成装置。
【発明の詳細な説明】
【技術分野】
【０００１】
本発明は読取原稿の斜行等を画像形成装置の本体フレームで是正しようとする画像形成装置に関する。
【背景技術】
【０００２】
従来、画像読取方式には、CCD方式とCIS方式が主に採用されているが、このうちCIS方式には読取装置の軽量化を図ることができるとの利点がある。
しかしながら、これまでのCIS方式では、原稿の読取補正がヒンジの中で行われているのでヒンジの構成が過度に複雑になるとの問題がある（特許文献１）。
このためヒンジ部分が高価になり、画像形成装置自体の価格を上げる要因になっている。
【先行技術文献】
【特許文献】
【０００３】
【特許文献１】特開2011-205273号公報
【発明の概要】
【発明が解決しようとする課題】
【０００４】
本発明は、斜行調整等を容易に行える画像形成装置を提供することを目的としている。さらに、本発明は、構成が簡単でコストを抑えることができる画像形成装置を提供することを目的としている。
【課題を解決するための手段】
【０００５】
本発明の画像形成装置は、原稿を読取位置に搬送する原稿搬送装置と、読取位置において搬送中の原稿を読み取る画像読取装置とが画像形成装置本体フレームに対して取り付けられてなり、画像形成装置にヒンジ挿入口が取り付けられ、本体フレームのいずれかに一対の画像読取装置の位置決め孔が設けられ、該位置決め孔のうちの一方の位置決め孔の位置調整が可能なように、突起状に形成された長孔突起が長孔凹部に嵌合するように案内される位置決め装置が備えられ、原稿搬送装置内の原稿の斜行調整を画像読取装置の本体フレームに固定された位置決め手段を長孔に嵌合させて移動させることによって行うことを特徴としている。
また、上記画像読取装置と、画像形成装置の本体フレームとの間に画像読取装置を走査方向に移動させて、移動機能に対して、画像形成装置の本体フレームを作動させる手段を設けるとよい。すなわち、前後に移動可能となる。
また、上記ヒンジ挿入口には、一定の遊びを形成してヒンジ脚部が挿入されていることが好ましい。
また、上記長孔凹部をネジと連動させて移動可能に形成し、該ネジのネジ頭を本体フレームから突出させて、該ネジ頭を外部から回転させることにより、長孔凹部を移動させるように構成するとよい。
【発明の効果】
【０００６】
本発明によれば、原稿搬送装置および画像読取装置を画像形成装置の本体のフレームに一定の遊びを持ったヒンジ挿入口で固定し、本体フレームのいずれか、例えばヒンジ挿入口近傍に設けられた一対の画像読取装置の位置決め孔を用いて原稿搬送装置の位置決めを行うことにより、ヒンジ内で斜行調整を行う従来技術に比べてスキャナーの調整が容易になる。また、簡単な構成で原稿の斜行調整を行うことができるので、機構が複雑にならず、安価に画像形成装置を提供することができる。
【図面の簡単な説明】
【０００７】
【図１】本体におけるISU調整孔の位置を示す平面図である。
【図２】本体の一例を示す平面図である。
【図３】本体の一例を示す斜視図である。
【図４】本発明の画像形成装置の例を示す斜視図である。
【図５】本発明の画像形成装置の例を示す斜視図である。
【発明を実施するための形態】
【０００８】
以下に本発明を実施するための形態について図面を参照しながら説明する。なお、発明の説明において、同一の部材には同一の付番を付してある。
【０００９】
図１に示すように、本発明においては、画像形成装置の本体フレームに、一対のISU調整孔が設けられており、一方のISU孔は支点孔（固定孔）であり、もう一方のISU孔は、長孔に形成されており、支点孔を支点として回動可能な調整孔を形成する。これらはいずれも「下部突起孔」である。
図２乃至図５において、本体フレーム１０の左側には、画像形成装置の左側に第１のヒンジ挿入口１２が設けられている。
この第１のヒンジ挿入口１２は、原稿の読取位置に搬送する原稿搬送装置５０と、ヒンジ部を有する画像読取装置４０とに接合している。
ここでヒンジ部は、画像読取装置４０を開閉するヒンジ装置と、このヒンジ部を固定する脚部を有しており、このヒンジ部の脚部が、上記の第１のヒンジ挿入口１２に挿入されている。
第１のヒンジ挿入口１２は、画像形成装置の本体フレーム１０に固定されている。
第１のヒンジ挿入口１２の近傍には円形の下部突起孔１４（ISU支点孔）が形成されており、この円形の下部突起孔１４に画像読取装置４０の底部に設けられた下部突起が嵌入することにより、この円形の下部突起孔１４を支点として、原稿搬送装置５０が本体フレーム１０に対して回動可能に構成されている。
【００１０】
この第１のヒンジ挿入口１２の右側には、この第１のヒンジ挿入口１２と同様に、第２のヒンジ挿入口１６が、形成されている。この第２のヒンジ挿入口１６は、原稿搬送装置５０および画像読取装置４０を伴ってこれらを一体化する。
第２のヒンジ挿入口１６は、ここに挿入されるヒンジ脚部よりもわずかに大きく形成されていることが好ましく、このように遊びを設けることにより、原稿搬送装置５０が、底部に設けられた円形の下部突起を収容する円形の下部突起孔１４に対して回動可能になるように形成されている。
すなわち、図２乃至図４に示すように、本体フレーム１０を形成する基板３２に第２のヒンジ挿入口１６を固定具３１で固定しても、第２のヒンジ挿入口１６をヒンジ脚部に対して遊びを形成して固定することにより、ヒンジを本体フレーム１０に対して回動可能に形成することができる。
【００１１】
この第２のヒンジ挿入口１６の近傍には、長孔凹部を有する移動板３０が設けられている。この長孔凹部を有する長孔の下部突起孔２０（ISU調整孔）には、本体フレーム１０の裏面側に突出したネジからなる位置決め装置に連結した移動板３０とネジ２４が設けられており、ネジ頭２６を回転させることにより、移動板３０をネジ２４に対して前後に移動させることができる。すなわち、長孔凹部をネジと連動させて移動可能に形成し、このネジのネジ頭を本体フレームから突出させて形成し、このネジ頭をドライバーなどで外部から回転させることにより、長孔凹部を移動させることができるように構成されている
このように、この長孔の下部突起孔２０に原稿搬送装置５０の下面に形成された突起を嵌合してネジ頭２６を回転することにより、円形の下部突起孔１４を支点にして下部突起を介して画像読取装置４０をネジに対して前後に回転移動させることができる。
このように画像読取装置４０を移動させることにより、原稿の斜め給紙などを是正することができる。
また、上記画像読取装置４０と、画像形成装置の本体フレーム１０との間に画像読取装置を走査方向、すなわち紙の流れ方向に対して前後方向に移動させて、移動機能に対して、画像形成装置の本体フレーム１０を作動させる手段を設けることが好ましい。
【００１２】
上記のように本発明によれば、複雑な構造を有するヒンジ部によらずに、本体に対して画像読取装置４０を移動させることができるので、複雑な構成を採用せずに斜め給紙などを防止することができる。
【００１３】
なお、本発明の画像形成装置は、上記のような構成を有するが、本発明の趣旨に反しない限り、本発明は種々改変することができる。例えば、位置決め装置のネジ頭としてプラスネジを用いているが、マイナスネジであっても、六角ネジなど汎用されている種々のネジを用いることができる。
上記説明において、左右、前後等と記載して本発明を説明したが、これらは、本発明の説明を容易にするためのものであり、左右、前後等は逆転していてもよい。
本発明の画像形成装置は、CIS方式の画像読取装置として特に適している。
【符号の説明】
【００１４】
１０・・・本体フレーム
１２・・・第１のヒンジ挿入口
１４・・・円形の下部突起孔（ISU孔）
１６・・・第２のヒンジ挿入口
２０・・・長孔の下部突起孔（ISU孔）
２４・・・ネジ
２６・・・ネジ頭
３０・・・移動板
３２・・・基板
３１・・・固定具
４０・・・画像読取装置
５０・・・原稿搬送装置
【図１】
2020005013.tif 000003
【図２】
2020005013.tif 000004
【図３】
2020005013.tif 000005
【図４】
2020005013.tif 000006
【図５】
2020005013.tif 000007